(57)【要約】【課題】  多様な草地を創出する上で、低コスト、施工適期の拡大、活着率の向上を図る植物苗、植物マットを開発する。【解決手段】    植物苗、植物マットに夏草と冬草を混植することにより、夏草と冬草どちらかが活着することで通年施工を可能とし、活着率も向上させた。また、夏草と冬草を混植することや、地下茎、匍匐茎、匍匐枝で繁殖する植物を混植することで、生育時に、互いが競合することを抑制し、一個の植物苗、植物マットで複数の種を植栽することを可能となり、施工コストを低減させた。【選択図】      図１
2009089646.tif 000002
【特許請求の範囲】
【請求項１】
夏期を中心に生育旺盛な夏草を１種以上と、冬期を挟んで生育旺盛な冬草を１種以上を混植した、二種以上の植物が混在した植物苗、植物マット。
【請求項２】
地下茎、匍匐茎、匍匐枝で繁殖する植物一種以上を必ず含む、二種以上の植物を混植した植物苗、植物マット。
【発明の詳細な説明】
【技術分野】
【０００１】
植物苗、植物マットを用い、多種類の植物が混在して生育する緑化を図る工程において、使用する植物が休眠期である場合、活着させることができない。本発明は生育時期や、生育特性が異なる２種以上の植物を用い、時期を問わずに活着、もしくは定着させ、施工コストの低減、施工適期の拡大、活着率の向上などを図る植物苗、植物マットを提供するものであり、また、その機能を有していない植物苗、植物マットを定着させる方法を提供するためのものである。
【背景技術】
【０００２】
植物苗、植物マット、例えばチガヤを秋期から春期にかけて植栽した場合、チガヤは休眠中であり活着しない。暖かくなるまでは根が張らないので、踏圧で動いたり、強風や、降雨で動くなど、また、低温で一部が枯死したりして活着率が低下している。
【発明の開示】
【発明が解決しようとする課題】
【０００３】
しかしながら、チガヤ単一の草地にする目的ではなく、多様な草地を創出する目的の場合もある。そんな時、例えばチガヤの中にカキドオシを混入させておけば、カキドオシは秋期から初夏に生育する植物であるため、チガヤが活着しない時期でもカキドオシの根系で定着させることが可能である。また、カキドオシは夏期は生育が停滞するため、チガヤと共存できる。
【０００４】
そこで発明者は生育時期や、生育特性が異なる２種以上の植物を用い、時期を問わずに活着、もしくは定着させることで施工適期の拡大、活着率の向上、同時に施工コストの低減などを図る植物苗、植物マットを提供しようとした。
【課題を解決するための手段】
【０００５】
請求項１のの発明にかかるものは、夏期を中心に生育旺盛な夏草を１種以上と、冬期を挟んで生育旺盛な冬草を１種以上を混植した、二種以上の植物が混在した植物苗、植物マットである。
【０００６】
請求項２の発明にかかるものは、地下茎、匍匐茎、匍匐枝で繁殖する植物一種以上を必ず含む、二種以上の植物を混植した植物苗、植物マットである。
【発明の効果】
【０００７】
請求項１のの発明にかかるものは、夏期を中心に生育旺盛な夏草を１種以上と、冬期を挟んで生育旺盛な冬草を１種以上を混植した、二種以上の植物が混在した植物苗、植物マットである。
【０００８】
例えば夏期を中心に生育旺盛なイネ科多年草チガヤの発芽は東海地方では５月であり、１１月頃には地上部が枯死し休眠する。チガヤ苗やチガヤマットを休眠期に植栽しても根が動き出すのは４月になってからであり活着しない。それまでは、上を人や犬が歩けばチガヤは、抜けたり、ずれたり、めくれたりする。
【０００９】
このチガヤに例えばシソ科多年草のカキドオシを混植したものであれば、カキドオシは１０月頃には生育が旺盛になるので、チガヤが休眠していてもカキドオシが活着するためチガヤも定着する。カキドオシは常緑であるが匍匐型であり、夏期は生育が停滞するので両者は殆ど競合しない。
【００１０】
逆に、カキドオシのが生育が停滞する夏期は、チガヤの生育が旺盛であり、カキドオシも定着する。
【００１１】
この方法（夏草と冬草の混植）が主たる方法であるが、夏草同士であっても、生育時期が異なる種を混植することでも可能な時期もあり、同様に冬草同士でも可能である。
【００１２】
請求項２の発明にかかるものは、地下茎、匍匐茎、匍匐枝で繁殖する植物一種以上を必ず含む、二種以上の植物を混植した植物苗、植物マットである。
【００１３】
生育時期が同一の植物であっても、地下茎、匍匐茎、匍匐枝で繁殖する植物は植えられたところから周囲に広がっていくので、混植された他の植物と共存できる。この場合、地下茎、匍匐茎で繁殖する植物同士でもかまわない。  例えば前記のチガヤは地下茎で繁殖し、カキドオシは匍匐茎で繁殖する植物である。
【００１４】
いずれの植物苗、植物マットも二種以上を含んでいるため、単一の植物苗、植物マットを植栽するのと同一の手間で倍以上を植栽することが可能となり、多様な草地を創出する上でコストの低減を図ることができる。
【発明を実施するための最良の形態】
【００１５】
以下、本発明の実施の形態について、冬期に地上部が枯死し休眠する、地下茎で繁殖するイネ科多年草のチガヤ、夏期に生長が鈍くなる、匍匐して繁殖するものとしてシソ科のカキドオシ使用し、植物苗、植物マットの作成方法を図を用いて説明する。
【００１６】
図１はチガヤ１とカキドオシ２をポット３に混植した苗４である。
【００１７】
図２は苗４を植栽してからチガヤ１とカキドオシ２が生長した状況を示している。チガヤ１は葉５を生長させながら、地下茎６を伸長させ、新たな場所に新たな葉７を展開させている。カキドオシ２は匍匐茎８を伸長させながら、新たな根９を発根させ、地中１０に伸長させている。
【００１８】
チガヤ１の繁殖が旺盛な時期は初夏から秋にかけてであり、株にはならず、根元の場所より数ｃｍから数１０ｃｍ離れた場所で新たに発芽しながら繁殖していき、地上部は初冬に枯死する。
【００１９】
カキドオシの繁殖が旺盛な時期は秋からであり、カキドオシは根元から徐々に匍匐茎を伸長させ、対生の葉の付けねから発根させながら繁殖していく。冬には繁殖を休止し春から再び旺盛に繁殖する。この時期はチガヤが休眠している時期であり、チガヤの枯れ葉が日照を妨げる以外は競合しない（カキドオシはチガヤの隙間を縫うように、また、枯れ葉に覆い被さるように伸長する）。
【００２０】
通常チガヤとカキドオシの群落をつくろうとすれば、１平方メートル当たり、チガヤの苗が４個、カキドオシの苗が４個必要と考えられ、チガヤ、カキドオシの単独の苗であると８個の苗を植栽する必要があるが、この混植苗であれば、４個の苗の植栽ですみ、植栽コストの低減が図られる。
【００２１】
また、この苗は、５月から１０月まではチガヤの生育期であり、１０月から６月まではカキドオシの生育期であるため、年間を通して施工が可能となる。
【００２２】
なを、単一の種の植物苗、植物マットを植栽すると同時に、他種の種子を播種し、請求項１、２の特質を得ることも可能であり、
【００２３】
また、植物苗、植物マットの生産段階で播種しても請求項１、２の特質を得ることも可能である。
【００２４】
本発明を実施するに際しては、培地、容器などの構成、形状、数量、材質、大きさ、接続関係等について。また、使用する植物の種類、数量、形態についても、上記各実施の形態に限定されるものではない
【図面の簡単な説明】
【００２５】
【図１】チガヤとカキドオシの混植苗。
【図２】植栽した苗が生長した状況図。
【符号の説明】
【００２６】
１チガヤ
２カキドオシ
３ポット
４苗
５葉
６地下茎
７新たな葉
８匍匐茎
９新たな根
１０地中
【図１】
2009089646.tif 000003
【図２】
2009089646.tif 000004